(57)【要約】      （修正有）【課題】錘本体の貫通孔に挿入されたライン保護用チューブの位置ずれを抑制できる釣り用錘を提供する。【解決手段】錘１は、略玉状の錘本体と、ライン保護用チューブ１０とを備えている。錘１の錘本体に上下方向に延びて設けられた貫通孔３に、ライン１５が挿通されるライン挿通孔１３を有するライン保護用チューブ１０が貫通孔３の下端開口から挿入されている。チューブ１０が貫通孔３に挿入された状態においてチューブ１０の下端部１２が貫通孔３の下端開口から錘本体２の外側にはみ出している。貫通孔３の上端開口の周縁部に、チューブ１０の上端が衝当してチューブ１０の上方向への移動を停止する停止爪部６が貫通孔３の上端開口の半径方向内側に突出して形成されている。【選択図】図３
0003232649.tif 000002
【実用新案登録請求の範囲】
【請求項１】
錘本体に上下方向に延びて設けられた貫通孔に、ラインが挿通されるライン挿通孔を有するライン保護用チューブが前記貫通孔の下端開口から挿入され、
前記チューブが前記貫通孔に挿入された状態において前記チューブの下端部が前記貫通孔の下端開口から前記錘本体の外側にはみ出しており、
前記錘本体の前記貫通孔の上端開口の周縁部に、前記チューブの上端が衝当して前記チューブの上方向への移動を停止する停止爪部が前記貫通孔の上端開口の半径方向内側に突出して形成されている釣り用錘。
【請求項２】
前記チューブが前記貫通孔に挿入された状態において前記チューブの上端部が前記貫通孔の上端開口から前記錘本体の外側にはみ出している請求項１記載の釣り用錘。
【請求項３】
前記チューブの前記ライン挿通孔の上端開口の全体が前記貫通孔の上端開口から前記錘本体の外側に露出するとともに、前記チューブの前記ライン挿通孔の下端開口の全体が前記貫通孔の下端開口から前記錘本体の外側に露出している請求項１又は２記載の釣り用錘。
【請求項４】
前記貫通孔の上端開口が前記錘本体の表面に、前記貫通孔の軸線が前記錘本体の前記表面に対して傾斜した状態に形成されており、
前記貫通孔の上端開口側において前記錘本体の前記表面に対して前記貫通孔の軸線がなす角度を前記貫通孔の傾斜角とするとき、
前記停止爪部は、前記貫通孔の上端開口の周縁部における前記傾斜角が鋭角側の部分に形成されている請求項１〜３のいずれかに記載の釣り用錘。
【請求項５】
前記貫通孔の内周面に、前記チューブを押圧する突条部が前記チューブの前記貫通孔への挿入方向に延びて形成されるとともに、
前記突条部の突出量が前記チューブの前記貫通孔への挿入方向において漸次増加しており、
前記チューブの前記貫通孔への挿入により前記チューブが前記突条部で押圧されることで前記チューブが前記貫通孔に圧入状態に挿入されている請求項１〜４のいずれかに記載の釣り用錘。
【請求項６】
前記停止爪部に前記突条部の上端が一体に形成されている請求項５記載の釣り用錘。
【請求項７】
請求項１〜６のいずれかに記載の釣り用錘と、前記錘のライン保護用チューブのライン挿通孔に挿通されるとともに前記ライン挿通孔の下端開口から導出されたラインの下端部に接続されるフックとを具備する釣り用仕掛け。
【考案の詳細な説明】
【技術分野】
【０００１】
本考案は、鯛ラバ（鯛カブラ）のヘッド等として用いられる釣り用錘及びこれを備えた釣り用仕掛けに関する。
【０００２】
なお、本明細書及び請求の範囲では、説明の便宜上、錘がラインに取り付けられた状態においてラインの先端方向を錘本体及びライン保護用チューブの下方向といい、ラインの基端方向を錘本体及びチューブの上方向という。
【背景技術】
【０００３】
釣り用錘として例えば中通し錘は、金属製錘本体に上下方向に延びて設けられた貫通孔にライン（釣糸）を挿通することでラインに取り付けられるものであり、比較的簡素な仕組みで仕掛けを水中に沈めることができるという利便性の他にも、仕掛けに動きの自由度がある、魚の食い込みがよい、仕掛けの絡みを低減できる、アタリがダイレクトにロッド（釣竿）に伝わるなどの利点を有する。
【０００４】
一方、この中通し錘には、錘本体の貫通孔に挿通されたラインが貫通孔の内周面との接触により損傷し易いという欠点がある。この欠点を解消するため、貫通孔にラインを直接挿通するのではなく、貫通孔にライン保護用のチューブを挿入してこのチューブの中空部からなるライン挿通孔にラインを挿通することにより、ラインを貫通孔の内周面との接触による損傷から保護するように構成した錘が知られている（例えば特許文献１参照）。
【０００５】
さらに、この錘では、チューブのライン挿通孔に挿通されたラインが貫通孔の上下両端開口の周縁部に接触することによるラインの損傷を防止するため、一般にチューブの上下両端部が貫通孔の上下両端開口から外側に少しはみ出た状態にしてチューブが貫通孔に挿通されている。
【０００６】
このようにチューブが貫通孔に挿入された状態では、チューブのライン挿通孔の上端開口の全体が貫通孔の上端開口から錘本体の外側に露出するとともに、チューブのライン挿通孔の下端開口の全体が貫通孔の下端開口から錘本体の外側に露出している。これにより、ラインが貫通孔の上下両端開口の周縁部に接触しないようになっている。
【０００７】
さらに、チューブを貫通孔に保持するため、一般にチューブは貫通孔に圧入状態に挿入されている。
【先行技術文献】
【特許文献】
【０００８】
【特許文献１】登録実用新案第３１９０１２６号公報
【考案の概要】
【考案が解決しようとする課題】
【０００９】
しかるに、この錘では、錘の使用時（例：しゃくり時）に、貫通孔の下端開口から外側にはみ出たチューブの下端部が錘の下方向への移動を規制する規制部材（ビーズ、結束具、スイベル、リング、ゴム管等）に衝突し、その衝撃により貫通孔に対するチューブの位置が上方向にずれることがあった。もしチューブの位置がこのようにずれてしまうと、貫通孔の下端開口の周縁部が露出して当該周縁部にラインが接触し損傷する虞がある。
【００１０】
本考案は、上述した技術背景に鑑みてなされたもので、その目的は、錘本体の貫通孔に挿入されたライン保護用チューブの位置ずれを抑制できる釣り用錘、及びこれを用いた釣り用仕掛けを提供することにある。
【課題を解決するための手段】
【００１１】
本考案は以下の手段を提供する。
【００１２】
１）  錘本体に上下方向に延びて設けられた貫通孔に、ラインが挿通されるライン挿通孔を有するライン保護用チューブが前記貫通孔の下端開口から挿入され、
前記チューブが前記貫通孔に挿入された状態において前記チューブの下端部が前記貫通孔の下端開口から前記錘本体の外側にはみ出しており、
前記錘本体の前記貫通孔の上端開口の周縁部に、前記チューブの上端が衝当して前記チューブの上方向への移動を停止する停止爪部が前記貫通孔の上端開口の半径方向内側に突出して形成されている釣り用錘。
【００１３】
２）  前記チューブが前記貫通孔に挿入された状態において前記チューブの上端部が前記貫通孔の上端開口から前記錘本体の外側にはみ出している前項１記載の釣り用錘。
【００１４】
３）  前記チューブの前記ライン挿通孔の上端開口の全体が前記貫通孔の上端開口から前記錘本体の外側に露出するとともに、前記チューブの前記ライン挿通孔の下端開口の全体が前記貫通孔の下端開口から前記錘本体の外側に露出している前項１又は２記載の釣り用錘。
【００１５】
４）  前記貫通孔の上端開口が前記錘本体の表面に、前記貫通孔の軸線が前記錘本体の前記表面に対して傾斜した状態に形成されており、
前記貫通孔の上端開口側において前記錘本体の前記表面に対して前記貫通孔の軸線がなす角度を前記貫通孔の傾斜角とするとき、
前記停止爪部は、前記貫通孔の上端開口の周縁部における前記傾斜角が鋭角側の部分に形成されている前項１〜３のいずれかに記載の釣り用錘。
【００１６】
５）  前記貫通孔の内周面に、前記チューブを押圧する突条部が前記チューブの前記貫通孔への挿入方向に延びて形成されるとともに、
前記突条部の突出量が前記チューブの前記貫通孔への挿入方向において漸次増加しており、
前記チューブの前記貫通孔への挿入により前記チューブが前記突条部で押圧されることで前記チューブが前記貫通孔に圧入状態に挿入されている前項１〜４のいずれかに記載の釣り用錘。
【００１７】
６）  前記停止爪部に前記突条部の上端が一体に形成されている前項５記載の釣り用錘。
【００１８】
７）  前項１〜６のいずれかに記載の釣り用錘と、前記錘のライン保護用チューブのライン挿通孔に挿通されるとともに前記ライン挿通孔の下端開口から導出されたラインの下端部に接続されるフックとを具備する釣り用仕掛け。
【考案の効果】
【００１９】
本考案は以下の効果を奏する。
【００２０】
前項１では、錘本体の貫通孔の上端開口の周縁部に、チューブの上端が衝当してチューブの上方向への移動を停止する停止爪部が形成されているので、錘の使用時（例：しゃくり時）にチューブの下端部が規制部材に衝突した場合でも、その衝撃によるチューブの上方向への移動が停止爪部で停止される。そのため、貫通孔に対するチューブの位置が上方向にずれるのを抑制することできる。これにより、ラインが貫通孔の下端開口の周縁部に接触することによるラインの損傷を防止することができる。
【００２１】
前項２では、チューブの上端部が貫通孔の上端開口から錘本体の外側にはみ出しているので、ラインが貫通孔の上端開口の周縁部に接触することによるラインの損傷を防止することができる。
【００２２】
前項３では、ラインが貫通孔の上下両端開口の周縁部に接触することによるラインの損傷をより確実に防止することができる。
【００２３】
前項４では、停止爪部が、貫通孔の上端開口の周縁部における傾斜角が鋭角側の部分に形成されることにより、停止爪部を貫通孔の上端開口の周縁部に容易に形成することができる。
【００２４】
前項５では、貫通孔の内周面に、チューブを押圧する突条部がチューブの貫通孔への挿入方向に延びて形成されるとともに、突条部の突出量がチューブの貫通孔への挿入方向において漸次増加しているので、たとえチューブの外径寸法のバラツキが比較的大きい場合でも、チューブを貫通孔に容易に且つ確実に圧入状態に挿入することができる。
【００２５】
前項６では、停止爪部に突条部の上端が一体に形成されることにより、停止爪部が突条部で補強されている。そのため、チューブの位置が上方向にずれるのをより確実に抑制できる。
【００２６】
前項７では、前項１〜６の効果のうち少なくとも前項１の効果を奏しうる釣り用仕掛けを提供できる。
【図面の簡単な説明】
【００２７】
【図１】図１は、本考案の一実施形態に係る釣り用仕掛けを示す側面図である。
【図２】図２は、同仕掛けに用いた本考案の一実施形態に係る釣り用錘を示す図であって、同図中の（ａ）はその正面図、（ｂ）はその側面図及び（ｃ）はその平面図である。
【図３】図３は同錘の断面図である。
【図４】図４は同錘の錘本体の貫通孔にライン保護用チューブを挿入する途中の状態を示す、錘本体及びチューブの断面図である。
【図５】図５は同錘の錘本体の貫通孔をその下端開口側から見た拡大図である。
【考案を実施するための形態】
【００２８】
本考案の一実施形態について図面を参照して以下に説明する。
【００２９】
図１に示すように、本考案の一実施形態に係る釣り用仕掛け３０は、例えば、一般に鯛ラバ（鯛カブラ）と呼ばれているものであり、本考案の一実施形態に係る釣り用錘１を鯛ラバのヘッドとして備えている。
【００３０】
錘１は、図２に示すように略玉状の錘本体２と、ライン保護用チューブ１０とを備える。
【００３１】
錘本体２は、タングステン、鉛、真鍮などの金属製であり、鋳造、焼結等により形成されている。さらに、図４に示すように錘本体２には上下方向に真っ直ぐに延びた横断面略円形状の貫通孔３が形成されている。
【００３２】
チューブ１０は、ライン１５を貫通孔３の内周面３ａとの接触（例えば摺接）による損傷から保護する役割を有する円管状のものであり、フッ素樹脂（例：ポリテトラフルオロエチレン）などの樹脂製である。そのため、チューブ１０は僅かに弾性を有している。
【００３３】
なお本考案では、チューブ１０は樹脂製であるものに限定されるものではなく、その他に例えばゴム製であってもよい。
【００３４】
チューブ１０は押出加工により形成されたものであり、その中空部からなる横断面略円形状のライン挿通孔１３を有している。チューブ１０の肉厚はその周方向及び軸線方向（長さ方向）において略一定である。また、チューブ１０の上端面（１１ｂ、図４参照）及び下端面はそれぞれチューブ１０の軸線方向に対して垂直に形成されている。
【００３５】
ここで、チューブ１０が押出加工により形成されていることから、多数のチューブ１０を安価に製造することができるが、当該多数のチューブ１０におけるチューブ１０の外径寸法のバラツキは比較的大きい。
【００３６】
そして、図３及び４に示すように、錘本体２の貫通孔３にチューブ１０が貫通孔３の下端開口５から圧入状態に挿入配置されており、これによりチューブ１０が貫通孔３に略固定状態に保持されている。錘１（錘本体２及びチューブ１０）の詳細な構成については後述する。
【００３７】
図３に示すように、チューブ１０が貫通孔３に挿入された状態において、チューブ１０のライン挿通孔１３には、錘１がライン１５に沿って摺動移動可能になるようにライン１５が挿通されるとともに、ライン挿通孔１３の下端開口１３ｂから下方向に導出されたライン１５の下端部には錘１に対して相対的に遊動する遊動体２０が球状ビーズ２５を介して接続されている。
【００３８】
すなわち図１に示すように、遊動体２０は、集魚部材２３としてのネクタイ２２と、一つ以上（本実施形態では二つ）のフック２１などを有している。各フック２１はライン１５の下端部を構成するハリス１５ａの下端に接続（結着）されている。そして、これらのハリス１５ａにネクタイ２２が有底略円筒状の樹脂製結束具２４により一体的に結束されている。また、ライン１５の下端部が上述のビーズ２５に錘１と遊動体２０との間の位置にて通されている。
【００３９】
以上により、本実施形態の釣り用仕掛け（鯛ラバ）３０が構成されている。
【００４０】
本実施形態の仕掛け３０では、錘１の下方向への移動を規制する規制部材２６としてビーズ２５が用いられている。
【００４１】
ただし本考案では、規制部材２６はビーズ２５であることに限定されるものではなく、例えばジョイント具（例：スイベル、リング）であってもよいし、上述の結束具２４であってあってもよいし、その他の部材（ゴム管等）であってもよい。さらに本考案では、集魚部材２３はネクタイ２２であることに限定されるものではなく、スカートなどのその他の集魚部材を有していてもよい。
【００４２】
次に、錘１（錘本体２及びチューブ１０）の詳細な構成について以下に説明する。
【００４３】
図４に示すように、錘本体２の貫通孔３において、貫通孔３の上端開口４は貫通孔３の軸線Ｐが錘本体２の表面２ａに対して傾斜した状態に錘本体２の表面２ａに形成されており、また同じく、貫通孔３の下端開口５は貫通孔３の軸線Ｐが錘本体２の表面２ａに対して傾斜した状態に錘本体２の表面２ａに形成されている。
【００４４】
ここで、貫通孔３の上端開口４側において錘本体２の表面２ａに対して貫通孔３の軸線Ｐがなす角度を貫通孔３の第１傾斜角θ１という。また、貫通孔３の下端開口５側において錘本体２の表面２ａに対して貫通孔３の軸線Ｐがなす角度を貫通孔３の第２傾斜角θ２という。
【００４５】
さらに、図４及び５に示すように、貫通孔３の上端開口４の周縁部４ａにおける第１傾斜角θ１が鋭角側の部分には、チューブ１０の上端（詳述するとチューブ１０の上端面）１１ｂが衝当してチューブ１０の上方向への移動を停止する停止爪部６が、貫通孔３の上端開口４の半径方向内側に突出して且つ当該上端開口４の周縁部４ａに沿う方向に延びて一体に形成されている。一方、貫通孔３の上端開口４の周縁部４ａにおける第１傾斜角θが鈍角側の部分には停止爪部６は形成されていない。また、停止爪部６の突出量はチューブ１０の肉厚以下に設定されている。
【００４６】
さらに、貫通孔３の内周面３ａにおける停止爪部６の形成側の部分には、チューブ１０を押圧する横断面略三角形状の突条部７が貫通孔３の軸線方向略中間位置からチューブ１０の貫通孔３への挿入方向（即ち上方向）に真っ直ぐに延びて形成されるとともに、突条部７の上端（７ａ、図５参照）が停止爪部６にその周方向略中間位置にて一体に形成されている。この突条部７の突出量はチューブ１０の貫通孔３への挿入方向において漸次増加している。
【００４７】
したがって、図４に示すように、チューブ１０を貫通孔３にその下端開口５から挿入すると、その挿入途中からチューブ１０が突条部７で徐々に強く押圧されていき、チューブ１０の上端１１ｂが停止爪部６に衝当してチューブ１０の移動が停止したとき、図３に示すように、チューブ１０が貫通孔３に圧入状態に挿入配置される。
【００４８】
この状態では、同図に示すように、チューブ１０のライン挿通孔１３の上端開口１３ａは停止爪部６で閉塞されておらず、つまり上述したように当該上端開口１３ａの全体が貫通孔３の上端開口（４、図４参照）から錘本体２の外側に露出しており、更に、チューブ１０の上端部１１（詳述するとチューブ１０の上端部１１における第１傾斜角θ１が鈍角側の部分１１ａ）が貫通孔３の上端開口４から錘本体２の外側に少しはみ出ている。また、チューブ１０のライン挿通孔１３の下端開口１３ｂの全体は貫通孔３の下端開口（５、図４参照）から錘本体２の外側に露出しており、更に、チューブ１０の下端部１２（詳述するとチューブ１０の下端部１２における少なくとも第２傾斜角θ２が鈍角側の部分１２ａ）が貫通孔３の下端開口５から錘本体２の外側に少しはみ出ている。
【００４９】
本実施形態の釣り用錘１を備えた仕掛け３０によれば、しゃくり時などにおいて錘１のチューブ１０の下端部１２が規制部材２６としてのビーズ２５に衝突した場合でも、その衝撃によるチューブ１０の上方向への移動が停止爪部６で停止されるため、錘本体２の貫通孔３に対するチューブ１０の位置が上方向にずれるのを抑制することができる。これにより、ライン１５が貫通孔３の下端開口５の周縁部５ａに接触することによるライン１５の損傷を防止することができる。
【００５０】
しかも、チューブ１０の上下両端部１１、１２が錘本体２の貫通孔３の上下両端開口４、５から錘本体２の外側にはみ出ているので、ライン１５の上述の損傷を確実に防止することができる。
【００５１】
また、停止爪部６が、錘本体２の貫通孔３の上端開口４の周縁部４ａにおける第１傾斜角θが鋭角側の部分に形成されているので、錘本体２に貫通孔３を形成する際に貫通孔３の上端開口４の周縁部４ａに残存しうる部分を停止爪部６として用いることができる。そのため、停止爪部６を貫通孔３の上端開口４の周縁部４ａに容易に形成することができる。
【００５２】
また、貫通孔３の内周面３ａに突条部７が形成されるとともに、突条部７の突出量がチューブ１０の貫通孔３への挿入方向において漸次増加しているので、本実施形態のようにチューブ１０が押出加工により形成されたものであるためにチューブ１０の外径寸法のバラツキが比較的大きいものであっても、チューブ１０を貫通孔３に容易に且つ確実に圧入状態に挿入することができる。
【００５３】
さらに、停止爪部６に突条部７の上端７ａが一体に形成されているので、停止爪部６が突条部７で補強されており、そのためチューブ１０の位置が上方向にずれるのを確実に抑制できる。
【００５４】
以上で本考案の一実施形態について説明したが、本考案は上記実施形態に限定されるものではなく、本考案の要旨を逸脱しない範囲において様々に変更可能である。
【産業上の利用可能性】
【００５５】
本考案は、鯛ラバのヘッド等として用いられる釣り用錘及び釣り用仕掛けに利用可能である。
【符号の説明】
【００５６】
１：錘                                ２：錘本体
３：貫通孔                            ３ａ：貫通孔の内周面
４：貫通孔の上端開口                  ５：貫通孔の下端開口
６：停止爪部                          ７：突条部
１０：チューブ                        １１：チューブの上端部
１２：チューブの下端部                １３：ライン挿通孔
１３ａ：ライン挿通孔の上端開口        １３ｂ：ライン挿通孔の下端開口
１５：ライン                          ２０：遊動体
２１：フック                          ２２：ネクタイ（集魚部材）
２５：ビーズ（規制部材）              ３０：仕掛け
【図１】
0003232649.tif 000003
【図２】
0003232649.tif 000004
【図３】
0003232649.tif 000005
【図４】
0003232649.tif 000006
【図５】
0003232649.tif 000007